(57)【要約】【課題】親機、または、子機の外線通話中に、通話相手側から送出されてきたＤＴＭＦ信号に対応したダイヤルキーを一定時間点灯することができる電話装置を提供する。【解決手段】  本実施例にかかる電話装置１０においては、親機２０あるいは子機３０で通話中に、通話相手側から送出されてきたＤＴＭＦ信号を制御部２１が検出した場合に、制御部が検出したＤＴＭＦ信号に対応する数字データを算出し、当該算出した数字データに対応したダイヤルキーを一定時間点灯する。また、制御部２１は、通話中に回線から受信したＤＴＭＦ信号をメモリ部２６に格納されている別形式データ（ＱＲコード、バーコード等）に変換して表示部２４の液晶パネルに表示する切り換えモード設定キーを備えている。【選択図】図４
2012178801.tif 000002
【特許請求の範囲】
【請求項１】
通話中に回線から受信したＤＴＭＦ信号を検出するＤＴＭＦ検出部と、ダイヤルキーを有する操作部と、制御部と、を備え、
前記制御部は、前記ＤＴＭＦ検出部より検出されたＤＴＭＦ信号に対応する数字データを算出し、当該算出した数字データに対応した前記ダイヤルキーを一定時間点灯することを特徴とする電話装置。
【請求項２】
通話中に回線から受信したＤＴＭＦ信号を検出するＤＴＭＦ検出部と、ＤＴＭＦ信号に対応する別形式データに変換するコード変換部と、表示部と、制御部と、を備え、
前記制御部は、前記ＤＴＭＦ検出部より検出されたＤＴＭＦ信号に対応する数字データを算出し、算出された数字データを前記コード変換部で別形式データへ変換させ、当該変換された別形式データを前記表示部へ表示させることを特徴とする電話装置。
【請求項３】
前記別形式データとは、ＱＲコードやバーコードであることを特徴とする請求項２に記載の電話装置。
【発明の詳細な説明】
【技術分野】
【０００１】
本発明は、電話装置に関する。
【背景技術】
【０００２】
通常の電話装置では、電話装置のダイヤルキー（０〜９までの数字と＃や＊が割り振られたキーパッド）で入力された数字（番号）はダイヤルパルス或いはＤＴＭＦ（Ｄｕａｌ  Ｔｏｎｅ  Ｍｕｌｔｉ  Ｆｒｅｑｕｅｎｃｙ）信号で回線へ送出される。このようなＤＴＭＦ信号を用いた技術として、例えば、下記、特許文献１には、通話中に通話相手から送られてきたＤＴＭＦ信号を、受信側のＤＴＭＦ受信部によりその音声化情報の組み合わせが逐次検知され、その組み合わせに対応するアルファベット等の文字に変換されて表示部に表示する技術が開示されている。
【先行技術文献】
【特許文献】
【０００３】
【特許文献１】特開２００３−１３４１９２号公報
【発明の概要】
【発明が解決しようとする課題】
【０００４】
しかしながら、上記特許文献１に記載の技術では、表示部に文字を表示し続けるため、ユーザが近くにいる第三者に容易に受信側で受け取った情報を覗きみられてしまうというセキュリティ上の問題がある。
【課題を解決するための手段】
【０００５】
前記課題を解決するために、本願の請求項１に係る電話装置の発明は、通話中に回線から受信したＤＴＭＦ信号を検出するＤＴＭＦ検出部と、ダイヤルキーを有する操作部と、制御部と、を備え、前記制御部は、前記ＤＴＭＦ検出部より検出されたＤＴＭＦ信号に対応する数字データを算出し、当該算出した数字データに対応した前記ダイヤルキーを一定時間点灯することを特徴とする。
【０００６】
また、本願の請求項２に係る発明は、通話中に回線から受信したＤＴＭＦ信号を検出するＤＴＭＦ検出部と、ＤＴＭＦ信号に対応する別形式データに変換するコード変換部と、表示部と、制御部と、を備え、前記制御部は、前記ＤＴＭＦ検出部より検出されたＤＴＭＦ信号に対応する数字データを算出し、算出された数字データを前記コード変換部で別形式データへ変換させ、当該変換された別形式データを前記表示部へ表示させることを特徴とする。
【０００７】
また、本願の請求項３にかかる発明は、請求項２に記載の電話装置において、前記別形式データとは、ＱＲコードやバーコードであることを特徴とする。
【発明の効果】
【０００８】
請求項１にかかる発明においては、通話中に回線からＤＴＭＦ信号を受信すると、受信したＤＴＭＦ信号に対応する数字（番号）のダイヤルキーを点灯して、通話相手が、どの数字を送信してきたかが分かる。
【０００９】
また、通話相手が電話番号や暗証番号等の個人情報を発話することなく、通話の相手先に伝えたい個人情報を、ダイヤルキーの点灯のみで伝達することが可能となる。
【００１０】
また、ダイヤルキーの点灯時間も限られているため、ユーザの近くにいる第三者に不意に覗き見られても個人情報を知られるといった心配もない。
【００１１】
請求項２及び３にかかる発明においては、通話中に電話回線から受信したＤＴＭＦ信号に対応する数字データを別形式データに変換して、電話装置の表示部へ表示することが出来るので、ユーザの近くにいる第三者に容易に暗証番号等の個人情報を知られるといった問題を回避することが可能となる。
【図面の簡単な説明】
【００１２】
【図１】本発明を適用してなる実施例装置の全体図である。
【図２】本発明を適用してなる実施例装置の親機のブロック図である。
【図３】本発明を適用してなる実施例装置の子機のブロック図である。
【図４】本実施例装置の通話中親機の動作を示すフロー図である。
【発明を実施するための形態】
【００１３】
以下、本発明の具体例について、電話装置を用いて説明する。但し、以下に示す実施例は、本発明の技術的思想を具体化するための電話装置を例示しているが、本発明をこの電話装置に特定するものではなく、本発明の技術的範囲は、特許請求の範囲の記載によって定められるものである。
【実施例】
【００１４】
図１は、本発明の実施例にかかる電話装置１０の全体構成を示す図である。本実施例の電話装置１０は、電話回線に接続された親機２０と、無線通信機能を介してこの親機２０と接続される子機３０とを有してなる。更に、子機３０は、親機２０を介在して無線接続される。尚、この電話装置１０の通信方式はコードレス電話の通信方式である。
【００１５】
次に、本発明の実施例にかかる電話装置１０の回路構成を説明する。図２は、本発明の実施例にかかる親機２０の構成を示すブロック図である。親機２０は、制御部２１、着信検出部２２、回線接続部２３、表示部２４、操作部２５、メモリ部２６、ＡＣアダプタ２７、電源部２８、送信部３０、受信部３１、周波数シンセサイザー３２、送受信アンテナ３３、受話器３４、ＤＴＭＦ検出部３５、コード変換部３６などを備えて構成されている。
【００１６】
制御部２１は、マイクロプロセッサを中心に構成され、一般的なコンピュータ装置と同様にＲＯＭ、フラッシュメモリなどのメモリ機能を備えており、このメモリに格納されている各種制御プログラムを読み出して処理を担う。又、後述するＤＴＭＦ検出部３５で検出されたＤＴＭＦ信号に対応する数字データを算出する機能も有している。
【００１７】
着信検出部２２は、回路接続部２３からの着信信号を受けて着信を検出すると共に、当該着信信号をパルス信号に波形整形して制御部２１に出力する。
【００１８】
回線接続部２３は、電話回線（以下、回線）と接続されて回線の開放・閉結を行う。又、回線接続部２３は、回線の極性反転を検出する機能と、回線からの音声信号を検出する機能と、回線からのＲＢＴ（Ｒｉｎｇ  Ｂａｃｋ  Ｔｏｎｅ）を検出する機能を有している。
【００１９】
表示部２４は、液晶パネル等から構成される表示ユニットであり、制御部２１からの制御信号に応じて、電話帳データである電話番号、通話時間や、通話料金、ＱＲコード、バーコード等の表示を行う。
【００２０】
操作部２５は、数字や文字の入力などを行うためのダイヤルキー（０〜９までの数字と＃や＊が割り振られたキーパッド）、発呼および通話の開始などを操作するための通話キー、通話の終了などを操作するための終話キー、電話帳の検索・登録を行うための電話帳キー、検出されたＤＴＭＦ信号を別形式データへ変換するモード、又は、検出されたＤＴＭＦ信号に対応するダイヤルキーを点灯させるモードに設定するための切り換えモード設定キー、キーの点灯時間を変更するための設定キー等から構成される。また、操作部２５の各キーには、キーのバックライトとして機能するキーＬＥＤ（Ｌｉｇｈｔ  Ｅｍｉｔｔｉｎｇ  Ｄｉｏｄｅ）（図示せず）を裏側に設けており、制御部からの指示に基づいて、ＬＥＤを発光（点灯）制御することによって、キーの点灯を行う。
【００２１】
メモリ部２６は、例えばフラッシュメモリによって構成され、氏名と電話番号とを対で複数格納可能な電話帳や、バーコードやＱＲコードを格納する機能等を有している。また、メモリ部２６は、ＤＴＭＦ信号を受信するとＤＴＭＦ信号に対応するテンキーを点灯させるモード、又は、受信したＤＴＭＦ信号に対応する数字データをＱＲコード等のデータに変換し表示するモードであることを示す切り換えモードフラグを格納する。
【００２２】
電源部２８は、ＡＣアダプタ２７から所定の直流電圧を受けて、各回路構成要素に電源を供給する。
【００２３】
送信部３０と受信部３１は、送受信アンテナ３３を介して子機３０との間に無線通信による通話リンクを確立させて、信号の送受信を行う。
【００２４】
周波数シンセサイザー３２は、当該子機との無線通信のための信号発振を担い、制御部２１からの制御信号によって、送信部３０と受信部３１の送受信周波数を適宜切り換える。
【００２５】
受話器３４は、通話用のスピーカ（ＳＰ）とマイク（ＭＩＣ）とで構成される。スピーカ（ＳＰ）は、図示しない制御部２１内の音声信号処理部で生成された電気信号を増幅して音声として出力する。マイク（ＭＩＣ）は、音声を電気信号に増幅変換して制御部２１内の音声信号処理部に出力する。
【００２６】
ＤＴＭＦ検出部３５は、回線から受信したＤＴＭＦ信号を検出して、その検出結果を制御部２１へ通知する。
【００２７】
コード変換部３６は、制御部２１にて算出されたＤＴＭＦ信号に対応する数字データをＱＲコード、バーコード等の別形式データに変換する。
【００２８】
次に、図３を参照しつつ、本発明の実施例にかかる子機３０の構成を説明する。電話装置１０の子機３０は、制御部４１、表示部４２、操作部４３、メモリ部４４、電源部４５、充電部４６、充電台４７、ＡＣアダプタ４８、送信部４８、受信部４９、周波数シンセサイザー５０、送受信アンテナ５１、レシーバ５２などを備えて構成されている。これらの構成は基本的な機能は親機と変わらず、親機２０と異なる構成のみ以下に説明する。
【００２９】
電源部４５は、充電式のバッテリーを内蔵し、子機３０の各回路構成要素に電源を供給する。充電部４６は、子機３０が充電台４７に載置されている間、ＡＣアダプタ４８から与えられる直流電圧により電源部４５のバッテリーの充電を行う。
【００３０】
送信部４８と受信部４９は、送受信アンテナ５１を介して親機２０との間に無線通信による通話リンクを確立させて、信号の送受信を行うと同時に、親機２０が受信した表示部２４へ表示する各種データ等を子機３０への送受信も行う。
【００３１】
周波数シンセサイザー５０は、当該親機２０との無線通信のための信号発振を担い、制御部４１からの制御信号によって、送信部４８と受信部４９の送受信周波数を切り換える。
【００３２】
子機３０は、充電台４７から取り上げられると、親機３０に対して自動的に発呼接続を要求するクイック通話機能を備えたものであってもよく、また、子機３０が充電台４７に載置されている時には子機の表示部４２を消灯状態にし、充電台４７から取り上げられると表示部４２を点灯状態にする省電力制御を行う構成であってもよい。
【００３３】
本実施例にかかる電話装置１０は、ユーザが親機２０で通話中に、回線からＤＴＭＦ信号を検出すると、検出したＤＴＭＦ信号に対応したダイヤルキーを点灯する。又、受信したＤＴＭＦ信号の数字データを別形式のデータ（バーコード、ＱＲコード等）に変換して表示部２４（あるいは子機の表示部４２）の液晶パネルに表示することも可能である。
【００３４】
本実施例装置では、電話装置１０が待機状態の際に、ユーザが切り換えモード設定キー（図示せず）を押下することにより、受信したＤＴＭＦ信号に対応する数字キーを一定時間点灯させるモード（切り換えモードフラグがオンである状態）或いは、受信したＤＴＭＦ信号に対応する数字データをＱＲコード等のデータに変換するモード（切り換えモードフラグがオフである状態）に設定する必要がある。このような設定が終了したことを前提として、以下に本実施例装置の動作について説明する。
【００３５】
まず、本発明を適用してなる実施例装置の動作について説明する。図４は、親機２０の動作を示すローチャートである。
【００３６】
先ず、親機２０の制御部２１は、親機２０が通話中であるか否かを判別する（ステップＳ１）。制御部２１は、親機２０が通話中であると判断すれば（ステップＳ１のＹＥＳ）ステップＳ２へ処理を進め、通話中でないと判断すれば（ステップＳ１のＮＯ）処理を終了する。
【００３７】
ＤＴＭＦ検出部３５が、回線からＤＴＭＦ信号を検出したかどうかを判別する（ステップＳ２）。ＤＴＭＦ検出部３５が、回線からＤＴＭＦ信号を検出していないと判断すれば、通常の通話処理を繰り返し（ステップＳ２のＮＯ）、ＤＴＭＦ信号を検出したと判断すれば、検出結果を制御部２１へ通知する（ステップＳ２のＹＥＳ）。
【００３８】
制御部２１は、ＤＴＭＦ検出部３５からの検出結果に基づいて、ＤＴＭＦ信号に対応する数字データを算出する（ステップＳ３）。
【００３９】
続いて、制御部２１は、メモリ部２６に格納されている切り換えモードフラグがオンであると判定すると（ステップＳ４のＹＥＳ）、ステップＳ３で算出した数字データに対応するダイヤルキーを一定時間点灯するように、ダイヤルキーのバックライトとして機能するＬＥＤを点灯制御する（ステップＳ５）。例えば、ＤＴＭＦ検出部３５より数字データの「７」が算出される場合は、ダイヤルキー「７」のキーＬＥＤを点灯するように制御する。尚、ダイヤルキーの点灯時間は、２秒程度が望ましいが、１秒〜５秒の間でユーザがキーの点灯時間を設定することで、点灯時間の変更をすることが可能である。
【００４０】
一方、制御部２１は、メモリ部２６に格納されている切り換えモードフラグがオフであると判定すると（ステップＳ４のＮＯ）、制御部２１は、ステップ３で算出した数字データを別形式データ（例えば、ＱＲコードやバーコード等）へ変換するようにコード変換部３６を制御し、制御部２１は、このコード変換部３６で変換された別形式データを液晶パネル等の表示部２４へ表示する（ステップＳ６）。
【００４１】
この後、本電話装置の利用者は、通話中の状態でも、表示部に表示された別形式データに専用の読み取り機（例えば、ＱＲコード読取り機やバーコードスキャナ等）をかざすことで、通話相手が送出してきたＤＴＭＦ信号を数字に変換して読み取ることが可能となる。
【００４２】
以上、説明したように、本発明の電話装置では、通話中に回線からＤＴＭＦ信号を受信すると、受信したＤＴＭＦ信号に対応するダイヤルキーを一定時間点灯するので、通話相手が、どの数字を送信してきたかが分かる。
【００４３】
尚、本実施例では、通話中にＤＴＭＦ信号を受信すると、受信したＤＴＭＦ信号に対応するダイヤルキーを点灯する構成としたが、ＤＴＭＦ検出部３５が回線からＤＴＭＦ信号を受信すると、制御部２１がＤＴＭＦ信号に対応する数字データに変換し、変換した数字データをメモリ部に格納しておき、通話終了後に、数字データに対応するダイヤルキーを点灯する構成としても良い。このような構成とすることにより、通話の終了後に、ユーザは、どのようなＤＴＭＦ信号（番号）が送信されたかを確認することが可能である。
【符号の説明】
【００４４】
１０・・・・電話装置
２０・・・・親機
２１・・・・制御部
２４・・・・表示部
２５・・・・操作部
３０・・・・子機
４１・・・・制御部
４２・・・・表示部
４３・・・・操作部
【図１】
2012178801.tif 000003
【図２】
2012178801.tif 000004
【図３】
2012178801.tif 000005
【図４】
2012178801.tif 000006